(57)【要約】【課題】安定した書込み動作を保証しながら、黒輝度の上昇を抑えたプラズマディスプレイパネルの駆動方法を提供することを目的とする。【解決手段】１フィールド期間が、全ての放電セルに対して初期化放電を行う初期化期間をもつ全セル初期化サブフィールドと、特定の放電セルに対して初期化放電を行わせる初期化期間を有する選択初期化サブフィールドとから構成されるプラズマディスプレイパネルの駆動方法であって、維持期間に放電セルを発光制御する選択初期化サブフィールドの直前に維持期間に非発光制御するサブフィールドが２つ以上連続した場合、選択初期化サブフィールドの書込み期間の１つの放電セルへの書込み時間が、他のサブフィールドの書込み期間の１つの放電セルへの書込み時間より長く設定することを特徴とする駆動方法。【選択図】図３
2005338217.tif 000002
【特許請求の範囲】
【請求項１】
１フィールド期間が、画像表示を行う全ての放電セルに対して初期化放電を行わせる全セル初期化動作を行う初期化期間、書込み期間および維持期間を有する全セル初期化サブフィールドと、特定の放電セルに対して初期化放電を行わせる選択初期化動作を行う初期化期間、書込み期間および維持期間を有する選択初期化サブフィールドとから構成され、前記維持期間において前記放電セルを発光制御または非発光制御することにより多階調表示をおこなうプラズマディスプレイパネルの駆動方法であって、維持期間に放電セルを発光制御する選択初期化サブフィールドの直前に維持期間に非発光制御するサブフィールドが２つ以上連続した場合、前記選択初期化サブフィールドの書込み期間の１つの放電セルへの書込み時間は、他のサブフィールドの書込み期間の１つの放電セルへの書込み時間より長く設定することを特徴とするプラズマディスプレイパネルの駆動方法。
【請求項２】
表示すべき画像信号のＡＰＬが低いときは前記全セル初期化サブフィールドの数を減らし、前記ＡＰＬが高いときは前記全セル初期化サブフィールドの数を増やすことを特徴とする請求項１記載のプラズマディスプレイパネルの駆動方法。
【請求項３】
同一基板上に平行に配置された走査電極および維持電極と、他の基板上に配置されたデータ電極とが交差する位置に作られる放電セルに対して、１フィールド期間が、画像表示を行う全ての放電セルに対して初期化放電を行わせる全セル初期化動作を行う初期化期間、書込み期間および維持期間を有する全セル初期化サブフィールドと、特定の放電セルに対して初期化放電を行わせる選択初期化動作を行う初期化期間、書込み期間および維持期間を有する選択初期化サブフィールドとから構成され、前記維持期間において前記放電セルを発光制御または非発光制御することにより多階調表示をおこなう表示装置であって、維持期間に放電セルを発光制御する選択初期化サブフィールドの直前に維持期間に非発光制御するサブフィールドが２つ以上連続した場合、前記選択初期化サブフィールドの書込み期間の１つの放電セルへの書込み時間を、他のサブフィールドの書込み期間の１つの放電セルへの書込み時間より長くする制御信号を、前記走査電極を駆動する走査電極駆動手段と前記データ電極を駆動するデータ電極駆動手段とに送信する書込み時間制御手段を備えることを特徴とする表示装置。
【請求項４】
表示すべき画像信号のＡＰＬが低いときは前記全セル初期化サブフィールドの数を減らし、前記ＡＰＬが高いときは前記全セル初期化サブフィールドの数を増やすためのＡＰＬ検出手段とＡＰＬ制御手段を含むことを特徴とする請求項３記載の表示装置。
【発明の詳細な説明】
【技術分野】
【０００１】
本発明はプラズマディスプレイパネルの駆動方法およびプラズマディスプレイパネルを用いた表示装置に関するものである。
【背景技術】
【０００２】
プラズマディスプレイパネル（以下、「パネル」と略記する）として代表的な交流面放電型パネルは、対向配置された２つの基板の前面板と背面板との間に多数の放電セルが形成されている。
【０００３】
前面板は、１対の走査電極と維持電極とからなる表示電極が前面ガラス基板上に互いに平行に複数対形成され、それら表示電極を覆うように誘電体層および保護層が形成されている。背面板は、背面ガラス基板上に複数の平行なデータ電極と、それらを覆うように誘電体層と、さらにその上にデータ電極と平行に複数の隔壁がそれぞれ形成され、誘電体層の表面と隔壁の側面とに蛍光体層が形成されている。
【０００４】
そして、表示電極とデータ電極とが立体交差するように前面板と背面板とが対向配置されて密封され、内部の放電空間には放電ガスが封入されている。ここで表示電極とデータ電極とが対向する部分に放電セルが形成される。
【０００５】
各電極にはそれぞれ電圧を印加させて駆動させるための駆動手段が備えられ、具体的には、走査電極に電圧を印加する走査電極駆動手段、維持電極には維持電極駆動手段、そしてデータ電極にはデータ電極駆動手段が備えられている。
【０００６】
このような構成のパネルの各放電セル内において、各駆動手段によって各電極に電圧を印加することでガス放電を起こし、それによって発生する紫外線で、放電セルのＲＧＢ各色の蛍光体を励起発光させてカラー表示を行っている。
【０００７】
パネルを駆動する方法としてはサブフィールド法、すなわち、１フィールド期間を複数のサブフィールドに分割した上で、発光させるサブフィールドの組み合わせによって階調表示を行う方法が一般的である。また、サブフィールド法の中でも、階調表現に関係しない発光を極力減らして黒輝度の上昇を抑え、コントラスト比を向上した新規な駆動方法が、たとえば特許文献１に開示されている。
【０００８】
以下にサブフィールド法について簡単に説明する。各サブフィールドはそれぞれ初期化期間、書込み期間および維持期間を有する。また、初期化期間は、画像表示を行うすべての放電セルに対して初期化放電を行わせる全セル初期化動作、または直前のサブフィールドにおいて維持放電を行った放電セルに対して選択的に初期化放電を行わせる選択初期化動作のいずれかの動作を行う。
【０００９】
まず、全セル初期化期間では、すべての放電セルで一斉に初期化放電を行い、それ以前の個々の放電セルに対する壁電荷の履歴を消すとともに、続く書込み動作のために必要な壁電荷を形成する。加えて、放電遅れ（例えば、書込み期間でデータ電極に書込みパルスを印加してから書込み放電するまでの時間）を小さくし書込み放電を安定して発生させるためのプライミング（放電のための起爆剤＝励起粒子）を発生させるというはたらきをもつ。
【００１０】
続く書込み期間では、走査電極に順次走査パルスを印加するとともに、データ電極には表示すべき画像信号に対応した書込みパルスを印加し、走査電極とデータ電極との間で選択的に書込み放電を起こし、選択的な壁電荷形成を行う。そして維持期間では、走査電極と維持電極との間に輝度重みに応じた所定の回数の維持パルスを印加し、書込み放電による壁電荷形成を行った放電セルを選択的に放電させ発光させる。また、選択初期化期間では、前のサブフィールドの維持期間で維持放電を行った放電セルでは、微弱な初期化放電が発生し、続く書込み動作に必要な壁電荷が形成される。
【００１１】
一方、前のサブフィールドで書込み放電および維持放電を行わなかった放電セルについては放電することはなく、前のサブフィールドの初期化期間終了時における壁電荷状態がそのまま保たれる。選択初期化サブフィールドの初期化動作は、前のサブフィールドで維持放電を行った放電セルにおいて初期化放電させる選択初期化動作である。
【特許文献１】特開２０００−２４２２２４号公報
【発明の開示】
【発明が解決しようとする課題】
【００１２】
放電によって生じるプライミングは時間の経過とともに減少するので、初期化放電から長い時間が経過した書込み放電に対しては初期化放電で生じたプライミングが不足して放電遅れが大きくなる。そこで、書込み動作を安定して行うために１つの放電セルへの書込み時間を長く設定し、その結果、書込み期間が長くなりすぎるといった問題があった。
【００１３】
本発明のパネルの駆動方法とその表示装置は、上記の課題に鑑みなされたものであり、安定した書込み動作を保証することを目的とする。
【課題を解決するための手段】
【００１４】
本発明のパネルの駆動方法は、１フィールド期間が、画像表示を行う全ての放電セルに対して初期化放電を行わせる全セル初期化動作を行う初期化期間、書込み期間および維持期間を有する全セル初期化サブフィールドと、特定の放電セルに対して初期化放電を行わせる選択初期化動作を行う初期化期間、書込み期間および維持期間を有する選択初期化サブフィールドとから構成され、維持期間において放電セルを発光制御または非発光制御することにより多階調表示をおこなうプラズマディスプレイパネルの駆動方法であって、維持期間に放電セルを発光制御する選択初期化サブフィールドの直前に維持期間に非発光制御するサブフィールドが２つ以上連続した場合、選択初期化サブフィールドの書込み期間の１つの放電セルへの書込み時間は、他のサブフィールドの書込み期間の１つの放電セルへの書込み時間より長く設定するものである。この駆動方法により、安定した書込み動作を保証することが可能となる。
【００１５】
また、本発明のパネルの駆動方法は、表示すべき画像信号のＡＰＬ（平均輝度レベル：例えば、ＡＰＬ０％のときはパネル全体が非表示つまり全黒表示となり、ＡＰＬ１００％のときはパネル全体が表示つまり全白表示となる）が低いときは全セル初期化サブフィールドの数を減らし、ＡＰＬが高いときは全セル初期化サブフィールドの数を増やすことが望ましい。この駆動方法によって、黒輝度の上昇を抑えかつ駆動期間を短縮したプラズマディスプレイパネルの駆動方法を提供することが可能となり、１フィールドを構成する各サブフィールドの時間の差を小さく設定することができる。
【００１６】
また、本発明は、以上のような駆動方法を実現するための表示装置に関するもので、維持期間に放電セルを発光制御する選択初期化サブフィールドの直前に維持期間に非発光制御するサブフィールドが２つ以上連続した場合、選択初期化サブフィールドの書込み期間の１つの放電セルへの書込み時間を、他のサブフィールドの書込み期間の１つの放電セルへの書込み時間より長くする制御信号を、走査電極を駆動する走査電極駆動手段とデータ電極を駆動するデータ電極駆動手段とに送信する書込み時間制御手段を備えるものである。この表示装置により、安定した書込み動作を保証することが可能となる。
【００１７】
さらには、表示すべき画像信号のＡＰＬが低いときは全セル初期化サブフィールドの数を減らし、ＡＰＬが高いときは全セル初期化サブフィールドの数を増やすためのＡＰＬ検出手段とＡＰＬ制御手段を含むことが望ましい。この表示装置によって、黒輝度の上昇を抑えかつ駆動期間を短縮したプラズマディスプレイパネルの駆動方法を提供することが可能となり、１フィールドを構成する各サブフィールドの時間の差を小さく設定することができる。
【発明の効果】
【００１８】
本発明によれば、安定した書込み動作を保証しながら、黒輝度の上昇を抑えたプラズマディスプレイパネルの駆動方法およびその表示装置を提供することが可能となる。
【発明を実施するための最良の形態】
【００１９】
以下、本発明の一実施の形態におけるパネルの駆動方法について、図面を用いて説明する。
【００２０】
（実施の形態１）
図１は本発明の実施の形態１に用いるパネルの要部を示す斜視図である。パネル１は、ガラス製の前面基板２と背面基板３とを対向配置して、その間に放電空間を形成するように構成されている。前面基板２上には表示電極を構成する走査電極４と維持電極５とが互いに平行に対をなして複数形成されている。そして、走査電極４および維持電極５を覆うように誘電体層６が形成され、誘電体層６上には保護層７が形成されている。
【００２１】
また、背面基板３上には絶縁体層８で覆われた複数のデータ電極９が付設され、データ電極９の間の絶縁体層８上にデータ電極９と平行して隔壁１０が設けられている。また、絶縁体層８の表面および隔壁１０の側面に蛍光体層１１が設けられている。そして、走査電極４および維持電極５とデータ電極９とが交差する方向に前面基板２と背面基板３とを対向配置しており、その間に形成される放電空間には、放電ガスとして、たとえばネオンとキセノンの混合ガスが封入されている。
【００２２】
図２は本発明の第１の実施の形態に用いるパネルの電極配列図である。行方向にｎ本の走査電極ＳＣＮ１〜ＳＣＮｎ（図１の走査電極４）およびｎ本の維持電極ＳＵＳ１〜ＳＵＳｎ（図１の維持電極５）が交互に配列され、列方向にｍ本のデータ電極Ｄ１〜Ｄｍ（図１のデータ電極９）が配列されている。そして、１対の走査電極ＳＣＮｉおよび維持電極ＳＵＳｉ（ｉ＝１〜ｎ）と１つのデータ電極Ｄｊ（ｊ＝１〜ｍ）とが交差した部分に放電セルが形成され、放電セルは放電空間内にｍ×ｎ個形成されている。
【００２３】
図３は本発明の第１の実施の形態におけるパネルの駆動方法を用いたプラズマディスプレイ装置の構成図である。このプラズマディスプレイ装置は、パネル１、データ電極駆動回路１２、走査電極駆動回路１３、維持電極駆動回路１４、タイミング発生回路１５、ＡＤ（アナログ・デジタル）変換器１８、走査数変換部１９、サブフィールド変換部２０および電源回路（図示せず）を備えている。
【００２４】
図３において、画像信号ｓｉｇはＡＤ変換器１８に入力される。また、水平同期信号Ｈおよび垂直同期信号Ｖはタイミング発生回路１５、ＡＤ変換器１８、走査数変換部１９、サブフィールド変換部２０に与えられる。ＡＤ変換器１８は、画像信号ｓｉｇをデジタル信号の画像データに変換し、その画像データを走査数変換部１９に与える。走査数変換部１９は、画像データをパネル１の画素数に応じた画像データに変換し、サブフィールド変換部２０に与える。
【００２５】
サブフィールド変換部２０は、各画素の画像データを複数のサブフィールドに対応する複数のビットに分割し、サブフィールド毎の画像データをデータ電極駆動回路１２に出力する。データ電極駆動回路１２は、サブフィールド毎の画像データを各データ電極Ｄ１〜Ｄｍに対応する信号に変換し各データ電極を駆動する。
【００２６】
タイミング発生回路１５は、水平同期信号Ｈおよび垂直同期信号Ｖをもとにしてタイミング信号を発生し、各々データ電極駆動回路１２、走査電極駆動回路１３および維持電極駆動回路１４に与える。走査電極駆動回路１３は、タイミング信号に基づいて走査電極ＳＣＮ１〜ＳＣＮｎに駆動波形を供給し、維持電極駆動回路１４は、タイミング信号に基づいて維持電極ＳＵＳ１〜ＳＵＳｎに駆動波形を供給する。ここで、タイミング発生回路１５が書込み時間制御手段に相当し、サブフィールド毎の書込み期間の１つの放電セルへの書込み時間をデータ電極駆動回路１２および走査電極駆動回路１３に出力する。
【００２７】
次に、パネルの駆動方法について説明する。実施の形態１においては、１フィールドを１４のサブフィールド（ＳＦ１、ＳＦ２、・・・、ＳＦ１４）に分割し、各サブフィールドはそれぞれ（１、２、４、８、１６、３２、５６、７２、８０、８、２４、４４、７２、９２）の表示順で輝度重みをもつものとする。この輝度重みは、５０Ｈｚの画像信号が入力されたときのフリッカを防止するために、１フィールド内で、後ろのサブフィールドほど輝度重みが大きくなるようになるサブフィールド群を２つ構成している。
【００２８】
図４は表示階調と、その階調を表現するために発光させるサブフィールドの組み合わせを示した図である。ここで「１」で示したサブフィールドは発光させるサブフィールド、「０」で示したサブフィールドは発光させないサブフィールドである。図４は、総階調数５１２のうち、階調値が「０」〜「４７」までの範囲を示す。
【００２９】
次に、パネルを駆動するための駆動波形とその動作について説明する。図５は本実施の形態におけるパネルの各電極に印加する駆動波形図であり、図６は１フィールドを構成するサブフィールドの構成図である。また、図７（ａ）は第１ＳＦ、第２ＳＦ、および第５ＳＦ〜第１４ＳＦの書込み期間に各電極に印加される信号の波形図であり、図７（ｂ）は第３ＳＦ、第４ＳＦの書込み期間に各電極に印加される信号の波形図である。ここで、第１ＳＦ、第５ＳＦ、第１０ＳＦは、初期化期間に全セル初期化動作を行う全セル初期化サブフィールドであり、それ以外のサブフィールドは初期化期間に選択初期化動作を行う選択初期化サブフィールドである。
【００３０】
本実施の形態においては、書込み放電の安定性を損なわないように、第１ＳＦから第１４ＳＦまでの１つの放電セルへの書込み時間を、それぞれ（１．８μｓ（＝マイクロセカンド）、１．８μｓ、２．３μｓ、２．３μｓ、１．８μｓ、１．８μｓ、１．８μｓ、１．８μｓ、１．８μｓ、１．８μｓ、１．８μｓ、１．８μｓ、１．８μｓ、１．８μｓ）と設定した。
【００３１】
第１ＳＦの初期化期間では、データ電極Ｄ１〜Ｄｍおよび維持電極ＳＵＳ１〜ＳＵＳｎを０（Ｖ）に保持し、走査電極ＳＣＮ１〜ＳＣＮｎに対して放電開始電圧を超える電圧Ｖｒ（Ｖ）に向かって上昇するランプ電圧を印加する。その後、維持電極ＳＵＳ１〜ＳＵＳｎを正の電圧Ｖｈ（Ｖ）に保ち、走査電極ＳＣＮ１〜ＳＣＮｎに電圧Ｖａ（Ｖ）に向かって下降するランプ電圧を印加する。すると、すべての放電セルにおいて２回の微弱な初期化放電を起こし、続く書込み動作に必要な壁電荷が形成されるとともに、すべての放電セルでプライミングが発生する。
【００３２】
続く書込み期間では、走査電極ＳＣＮ１〜ＳＣＮｎを一旦Ｖｓ（Ｖ）に保持する。次に、データ電極Ｄ１〜Ｄｍのうち、１行目に表示すべき放電セルのデータ電極Ｄｋに正の書込みパルス電圧Ｖｗ（Ｖ）を印加するとともに、１行目の走査電極ＳＣＮ１に走査パルス電圧Ｖｂ（Ｖ）を印加する。すると走査電極ＳＣＮ１とデータ電極Ｄｋ（ｋ＝１〜ｍ）および維持電極ＳＵＳ１との間に書込み放電が起こり、この放電セルに続く維持放電に必要な壁電荷が蓄積される。一方、正の書込みパルス電圧Ｖｗ（Ｖ）を印加しなかった放電セルには壁電荷が蓄積されない。以上の書込み動作をｎ行目の放電セルに至るまで順次行い、書込み期間が終了する。
【００３３】
続く維持期間では、まず、維持電極ＳＵＳ１〜ＳＵＳｎを０（Ｖ）に戻し、走査電極ＳＣＮ１〜ＳＣＮｎに正の維持パルス電圧Ｖｍ（Ｖ）を印加する。このとき、書込み放電を起こした放電セル内では、維持パルス電圧Ｖｍ（Ｖ）に壁電荷による電圧が加算され放電開始電圧を超え維持放電が発生する。そして極性の反転した壁電荷が放電セル内に蓄積する。続いて、走査電極ＳＣＮ１〜ＳＣＮｎを０（Ｖ）に戻し、維持電極ＳＵＳ１〜ＳＵＳｎに正の維持パルス電圧Ｖｍ（Ｖ）を印加すると、放電セル内で維持放電が起こり、壁電荷の極性が反転する。
【００３４】
以降同様に、走査電極ＳＣＮ１〜ＳＣＮｎと維持電極ＳＵＳ１〜ＳＵＳｎとに交互に維持パルスを印加することにより、書込み期間において書込み放電を起こした放電セルでは維持放電が継続して行われる。なお、維持放電を起こした放電セル内では、このときの維持放電に伴って多量のプライミングが発生する。
【００３５】
第２ＳＦの初期化期間では、維持電極ＳＵＳ１〜ＳＵＳｎをＶｈ（Ｖ）に保持し、データ電極Ｄ１〜Ｄｍを０（Ｖ）に保持し、走査電極ＳＣＮ１〜ＳＣＮｎに電圧Ｖａ（Ｖ）に向かって下降するランプ電圧を印加する。すると前のサブフィールドの維持期間で維持放電を行った放電セルでは、微弱な初期化放電が発生し、続く書込み動作に必要な壁電荷が形成される。
【００３６】
一方、前のサブフィールドで書込み放電および維持放電を行わなかった放電セルについては放電することはなく、前のサブフィールドの初期化期間終了時における壁電荷状態がそのまま保たれる。このように、選択初期化サブフィールドの初期化動作は、前のサブフィールドで維持放電を行った放電セルにおいて初期化放電させる選択初期化動作である。
【００３７】
図４に示すとおり、発光サブフィールドの直前に非発光サブフィールドが２つ以上連続するサブフィールドは、第３ＳＦ、第４ＳＦ、第５ＳＦ、第１０ＳＦ、第１１ＳＦである。これらのサブフィールドにおいて安定した書込み放電を行うには、１つの放電セルへの書込み時間を、他のサブフィールド（発光サブフィールドの直前に非発光サブフィールドが２つ以上連続しない選択初期化サブフィールド、あるいは全セル初期化サブフィールド）の１つの放電セルへの書込み時間より長く設定し、プライミング不足による放電遅れを補うか、初期化期間において全セル初期化動作を行い、プライミングにより放電遅れを小さくすることが有効的である。
【００３８】
これらの動作は、タイミング発生回路１５からデータ電極駆動回路１２および走査電極駆動回路１３へ制御信号が送られることで実行されている。
【００３９】
第３ＳＦ、第４ＳＦは、１つの放電セルへの書込み時間を他のサブフィールドの１つの放電セルへの書込み時間１．８μｓより長い２．３μｓとすることで、プライミング不足による放電遅れが生じても安定した書込み放電を行うことができる。この動作は、図７(ｂ)に示すように、タイミング発生回路１５からデータ電極駆動回路１２および走査電極駆動回路１３に、各駆動パルスの印加時間を２．３μｓとなるように信号を送信する。つまり、各サブフィールドの書込み期間にタイミング発生回路１５からデータ電極駆動回路１２および走査電極駆動回路１３に送られる信号は異なるものとなり、その結果、各サブフィールドの書込み期間は異なることもある。
【００４０】
また、第５ＳＦ、第１０ＳＦは、初期化期間に全セル初期化動作を行うことによりプライミングが発生するため、放電遅れの小さい安定した書込み放電を行うことができる。
【００４１】
さらに、第１１ＳＦは、第１０ＳＦの初期化期間に行われる全セル初期化動作のプライミングが残存しているため、放電遅れの小さい安定した書込み放電を行うことができる。
【００４２】
ここで、第３ＳＦ、第４ＳＦを選択初期化サブフィールドで１つの放電セルへの書込み時間を２．３μｓ、第５ＳＦを全セル初期化サブフィールドに設定する理由について再度説明する。仮に、第３ＳＦを全セル初期化サブフィールドとし、第４ＳＦ、第５ＳＦを選択初期化サブフィールドで１つの放電セルへの書込み時間を２．３μｓと設定したとする。この場合、第３ＳＦでは、全セル初期化動作を行うことにより放電遅れの小さい安定した書込み放電を行うことができ、第４ＳＦ、第５ＳＦは、１つの放電セルへの書込み時間を他のサブフィールドより長くすることで、プライミング不足による放電遅れが生じても安定した書込み放電を行うことができる。
【００４３】
しかしながら、第４ＳＦ、第５ＳＦの１つの放電セルへの書込み時間を長くすることで、書込み放電の動作時間が長くなり、周囲のセルに残存するプライミングを吸収してしまい、周囲のセルが書込み放電を行う際に放電遅れが発生し、周囲のセルが安定した書込み放電が行えなくなる副作用が生じる。一度、書込み不良が生じると、次の全セル初期化動作を行う第１０ＳＦの直前の第９ＳＦまでの書込み放電が不安定となってしまう。
【００４４】
それに対して、本実施の形態では、第３ＳＦ、第４ＳＦを選択初期化サブフィールドで１つの放電セルへの書込み時間を２．３μｓ、第５ＳＦを全セル初期化サブフィールドに設定している。第３ＳＦ、第４ＳＦの１つの放電セルへの書込み時間を長くすることで、書込み放電の動作時間が長くなり、周囲のセルに残存するプライミングを吸収してしまい、周囲のセルが書込み放電を行う際に放電遅れが発生しても、次の全セル初期化動作を行う第５ＳＦ時に、全セルにプライミングが発生するため、第５ＳＦ以降のサブフィールドで安定した書込み放電を行うことが可能となる。このように、実施の形態１は、周囲のセルの書込み放電も安定に行うことのできる最良の形態である。
【００４５】
本実施の形態においては、１フィールドが１４のサブフィールドで構成されているものとして説明するが、サブフィールド数や各サブフィールドの輝度重みが限定されるものではない。
【００４６】
（実施の形態２）
図８は本発明の実施の形態２におけるパネルの駆動方法を用いたプラズマディスプレイ装置の構成図である。
【００４７】
本実施の形態におけるプラズマディスプレイ装置は、（実施の形態１）と同様、パネル１、データ電極駆動回路１２、走査電極駆動回路１３、維持電極駆動回路１４、タイミング発生回路１５、ＡＤ変換器１８、走査数変換部１９、サブフィールド変換部２０を備えている。実施の形態１と大きく異なるところは、ＡＰＬ（平均輝度レベル）検出部３０を備えている点である。ここで、ＡＰＬ検出部３０がＡＰＬ検出手段に相当し、タイミング発生回路１５がＡＰＬ制御手段に相当する。
【００４８】
図８において、画像信号ｓｉｇはＡＤ変換器１８に入力され、ＡＰＬ検出部３０は画像データの平均輝度レベルを検出する。タイミング発生回路１５は、水平同期信号Ｈおよび垂直同期信号Ｖをもとにしてタイミング信号を発生し、各々データ電極駆動回路１２、走査電極駆動回路１３および維持電極駆動回路１４に与える。走査電極駆動回路１３は、タイミング信号に基づいて走査電極ＳＣＮ１〜ＳＣＮｎに駆動波形を供給し、維持電極駆動回路１４は、タイミング信号に基づいて維持電極ＳＵＳ１〜ＳＵＳｎに駆動波形を供給する。ここで、タイミング発生回路１５はＡＰＬ検出部３０から出力されるＡＰＬに基づいて１フィールドを構成する各々のサブフィールドの初期化動作を全セル初期化か選択初期化のいずれかに決定して、１フィールド内の全セル初期化動作の回数を制御し、各々のサブフィールドの１つの放電セルへの書込み時間を制御している。
【００４９】
次に、本実施の形態の駆動方法のサブフィールド構成について説明する。本実施の形態においては、１フィールドを１１のサブフィールド（ＳＦ１、ＳＦ２、・・・、ＳＦ１１）に分割し、各サブフィールドはそれぞれ（１、２、４、６、１２、２２、３６、６０、８８、１２０、１６０）の表示順で輝度重みをもつものとする。
【００５０】
図９は表示階調と、その階調を表現するために発光させるサブフィールドの組み合わせを示した図である。ここで「１」で示したサブフィールドは発光させるサブフィールド、「０」で示したサブフィールドは発光させないサブフィールドである。図９は、総階調数５１２のうち、階調値が「０」〜「４７」までの範囲を示す。
【００５１】
図１０は、本発明の実施の形態におけるパネルの駆動方法のサブフィールド構成を示す図であり、表示すべき画像信号のＡＰＬに基づいてサブフィールド構成を切替えている。図１０（ａ）は、ＡＰＬが０〜２％の画像信号時に使用する構成であり、第１ＳＦのみ初期化期間に全セル初期化動作を行う全セル初期化サブフィールドであり、第２ＳＦ〜第１１ＳＦは初期化期間に選択初期化動作を行う選択初期化サブフィールドである。図１０（ｂ）は、ＡＰＬが２〜１０％の画像信号時に使用する構成であり、第１ＳＦおよび第５ＳＦが全セル初期化サブフィールド、それ以外のサブフィールドは選択初期化サブフィールドとなっている。
【００５２】
図１０（ｃ）は、ＡＰＬが１０〜１００％の画像信号時に使用する構成であり、第１ＳＦ、第３ＳＦ、第５ＳＦは全セル初期化サブフィールド、それ以外のサブフィールドは選択初期化サブフィールドとなっている。図１１に上述のサブフィールド構成とＡＰＬとの関係を示した。図１１には同時に１つの放電セルへの書込み時間も示した。
【００５３】
このように、本実施の形態においては、ＡＰＬの高い画像表示時においては黒表示領域が無いかわずかの面積であると考えられるので、全セル初期化回数を増やしプライミングを増やすことによって放電の安定化を図っている。逆に、ＡＰＬの低い画像表示時においては黒の画像表示領域が広いと考えられるため全セル初期化回数を減らし、黒表示品質を向上している。したがって、輝度の高い領域があってもＡＰＬが低ければ黒表示領域の輝度が低くコントラストの高い画像表示が可能となる。
【００５４】
図９に示すとおり、発光サブフィールドの直前に非発光サブフィールドが２つ以上連続するサブフィールドは、第３ＳＦ、第５ＳＦ、第６ＳＦである。これらのサブフィールドにおいて安定した書込み放電を行うには、１つの放電セルへの書込み時間を、他のサブフィールド（発光サブフィールドの直前に非発光サブフィールドが２つ以上連続しない選択初期化サブフィールド、あるいは全セル初期化サブフィールド）の１つの放電セルへの書込み時間より長く設定し、プライミング不足による放電遅れを補うか、初期化期間において全セル初期化動作を行い、プライミングにより放電遅れを小さくすることが有効的である。
【００５５】
ＡＰＬが１０〜１００％の場合、第３ＳＦ、第５ＳＦは、初期化期間に全セル初期化動作を行うことによりプライミングが発生するため、放電遅れの小さい安定した書込み放電を行うことができる。また、第６ＳＦは、第５ＳＦの初期化期間に行われる全セル初期化動作のプライミングが残存しているため、放電遅れの小さい安定した書込み放電を行うことができる。さらに、図９には示していないが、階調値「４８」以降の階調において、発光サブフィールドの直前に非発光サブフィールドが２つ連続するサブフィールドとして第７ＳＦ、第８ＳＦが存在する。この場合、直前に発光するサブフィールドが比較的輝度重みの大きいサブフィールドであるため、維持放電後のプライミングがある程度残存しているため、初期化期間に全セル初期化動作や１つの放電セルへの書込み時間を長く設定しなくても、安定した書込み放電を行うことができる。
【００５６】
ＡＰＬが２〜１０％の場合、第５ＳＦは、初期化期間に全セル初期化動作を行うことによりプライミングが発生するため、放電遅れの小さい安定した書込み放電を行うことができる。また、第３ＳＦは、他のサブフィールドの１つの放電セルへの書込み時間１．８μｓより長い２．３μｓとすることで、プライミング不足による放電遅れが生じても安定した書込み放電を行うことができる。その他のサブフィールドに関しては、ＡＰＬ１０〜１００％の場合と同様である。
【００５７】
ここで、ＡＰＬが２〜１０％の場合に、初期化期間に全セル初期化動作を行うサブフィールドを第１、５ＳＦで行う理由について説明する。仮に、第１ＳＦ、第３ＳＦを全セル初期化サブフィールドとし、第５ＳＦを選択初期化サブフィールドで１つの放電セルへの書込み時間を２．３μｓに設定したとする。この場合、第３ＳＦでは、全セル初期化動作を行うことにより放電遅れの小さい安定した書込み放電を行うことができ、第５ＳＦは、１つの放電セルへの書込み時間を他のサブフィールドより長くすることで、プライミング不足による放電遅れが生じても安定した書込み放電を行うことができる。
【００５８】
しかしながら、第５ＳＦの１つの放電セルへの書込み時間を長くすることで、書込み放電の動作時間が長くなり、周囲のセルに残存するプライミングを吸収してしまい、周囲のセルが書込み放電を行う際に放電遅れが発生し、周囲のセルが安定した書込み放電が行えなくなる副作用が生じる。一度、書込み不良が生じると、そのフィールドで全セル初期化動作を行うサブフィールドがないため、第１１ＳＦまでの書込み放電が不安定となってしまう。
【００５９】
それに対して、本実施の形態では、第３ＳＦを選択初期化サブフィールドで１つの放電セルへの書込み時間を２．３μｓ、第５ＳＦを全セル初期化サブフィールドに設定している。第３ＳＦの１つの放電セルへの書込み時間を長くすることで、書込み放電の動作時間が長くなり、周囲のセルに残存するプライミングを吸収してしまい、周囲のセルが書込み放電を行う際に放電遅れが発生しても、次の全セル初期化動作を行う第５ＳＦ時に、全セルにプライミングが発生するため、第５ＳＦ以降のサブフィールドで安定した書込み放電を行うことが可能となる。
【００６０】
このように、本実施の形態では、周囲のセルの書込み放電も安定に行うことのできる最良の形態である。つまり、ＡＰＬが低くなるにつれて全セル初期化サブフィールドを減らす場合、表示順の最も速い全セル初期化サブフィールドと表示順の最も遅い全セル初期化サブフィールド以外の全セル初期化サブフィールドより選択初期化サブフィールドに切り替えることが、本実施の形態では、全セル初期化サブフィールドである第１ＳＦ、第３ＳＦ、第５ＳＦのうち、第３ＳＦの全セル初期化動作をなくすことが、黒輝度の上昇を抑えつつ書込み放電を安定に行う有効な手法である。
【００６１】
ＡＰＬが０〜２％の場合、第３、５ＳＦは、１つの放電セルへの書込み時間を他のサブフィールドの１つの放電セルへの書込み時間１．８μｓより長い２．１μｓとすることで、プライミング不足による放電遅れが生じても安定した書込み放電を行うことができる。
【００６２】
なお、本実施の形態では、第３ＳＦ、第５ＳＦにおいて１つの放電セルへの書込み時間を他のサブフィールドより長い２．１μｓと設定したが、ＡＰＬ２〜１０％の場合に第３ＳＦにおいて設定した１つの放電セルへの書込み時間２．３μｓよりも短い。これは、前述にも説明したように、１つの放電セルへの書込み時間を長くすることで、周囲のセルに残存するプライミングを吸収してしまい、周囲のセルが書込み放電を行う際に放電遅れが発生し、周囲のセルが安定した書込み放電が行えなくなる副作用を軽減するためのものである。また、ＡＰＬ０〜２％程度のＡＰＬの低い画像信号では、小さい輝度重みを使用する確率が高いため、低階調部において安定した書込み放電を行えるように第１ＳＦの初期化期間に全セル初期化動作を設定した。
【００６３】
本実施の形態においては、１フィールドが１１のサブフィールドで構成されているものとして説明するが、サブフィールド数や各サブフィールドの輝度重みが限定されるものではない。
【産業上の利用可能性】
【００６４】
本発明のパネルの駆動方法によれば、安定した書込み動作を保証しながら、黒輝度の上昇を抑えることが可能となり、パネルを用いた画像表示装置等として有用である。
【図面の簡単な説明】
【００６５】
【図１】本発明の実施の形態１に用いるプラズマディスプレイパネルの要部を示す斜視断面図
【図２】同パネルの電極配列を示す図
【図３】本発明の第１の実施の形態における表示装置の構成を示す図
【図４】同表示装置における各サブフィールドの発光パターンの一部を示す図
【図５】同表示装置においてパネルの各電極に印加する駆動波形を示す図
【図６】同表示装置において１フィールドを構成するサブフィールドの時間構成の概略を示す図
【図７】同表示装置における書込み期間の駆動波形を示す図
【図８】本発明の第２の実施の形態における表示装置の構成を示す図
【図９】同表示装置における各サブフィールドの発光パターンの一部を示す図
【図１０】同表示装置において１フィールドを構成するサブフィールドの時間構成の概略を示す図
【図１１】同表示装置においてＡＰＬに応じた１つの放電セルへの書込み時間の関係を示す図
【符号の説明】
【００６６】
１    パネル
２    前面基板
３    背面基板
４    走査電極
５    維持電極
９    データ電極
１２    データ電極駆動回路
１３    走査電極駆動回路
１４    維持電極駆動回路
１５    タイミング発生回路
３０    ＡＰＬ検出部
【図１】
2005338217.tif 000003
【図２】
2005338217.tif 000004
【図３】
2005338217.tif 000005
【図４】
2005338217.tif 000006
【図５】
2005338217.tif 000007
【図６】
2005338217.tif 000008
【図７】
2005338217.tif 000009
【図８】
2005338217.tif 000010
【図９】
2005338217.tif 000011
【図１０】
2005338217.tif 000012
【図１１】
2005338217.tif 000013